(57)【要約】【課題】電源基板と配線的に近くなり、組み立て部材、工数が少なく、利用価値の高い携帯用光照射器を提供する。【解決手段】本携帯用光照射器は、二次電池を収納する握り部と、透光性の筒体１４内に、複数のＬＥＤ素子１１を搭載するＬＥＤ基板１２を収納した照射部と、照射部の先端部に設けられた充電用ソケット１９と、が備えられている。  【選択図】図４
2015002006.tif 000002
【特許請求の範囲】
【請求項１】
二次電池を収納する握り部と、
透光性の筒体内に、複数のＬＥＤ素子を搭載するＬＥＤ基板を収納した照射部と、
前記照射部の先端部に設けられた充電用ソケットと、
を備えられたことを特徴とする携帯用光照射器。
【請求項２】
前記二次電池の充電を制御する電源基板が、前記ＬＥＤ基板と並行に配設されたことを特徴とする請求項１に記載の携帯用光照射器。
【請求項３】
前記握り部と、前記照射部のＬＥＤ基板と、前記充電用ソケットが、略同一ライン上に配設されたことを特徴とする請求項１又は２に記載の携帯用光照射器。
【請求項４】
前記照射部の先端部に、前記充電用ソケットを覆うキャップ部を着脱可能に設け、前記キャップ部に吊り下げ用の取っ手を設けたことを特徴とする請求項１〜３のいずれかに記載の携帯用光照射器。
【請求項５】
前記照射部の先端部を挿入し、前記携帯用光照射器を直立させた状態で前記充電用ソケットからの充電を可能とした充電台を備えていることを特徴とする請求項１〜４のいずれかに記載の携帯用光照射器。
【発明の詳細な説明】
【技術分野】
【０００１】
本発明は、ＬＥＤを光源に使用した携帯用光照射器に係わり、特に照射器を片手で握り持ち運ぶことができる携帯用光照射器に関するものである。
【背景技術】
【０００２】
近年、環境意識の高まりから、省電力化に優れたＬＥＤ素子を光源に使用したＬＥＤランプが盛んに用いられるようになってきた。特に最近は、携帯用の光照射器においても、基板に複数のＬＥＤ素子を配置し、握り部内には二次電池を搭載した携帯用光照射器が開発されている。
【０００３】
例えば、特許文献１には、手で握るための握り部と、握り部の一方の端子部から線状に突出して延び、複雑経路内に差し込まれて屈曲しながら複雑経路の先にまで到達し得るフレシキブル線状体と、フレシキブル線状体の先端に設けられた発光ダイオードと、握り部の内部に設けられた電源部と、フレシキブル線状体の内側に設けられ、電源部と発光ダイオードとを接続する電線とを備える複雑に入り組んだ経路の先を照らすことができる携帯用光照射器が開示されている。
【先行技術文献】
【特許文献】
【０００４】
【特許文献１】実用新案第３１３４４７７号公報
【発明の概要】
【発明が解決しようとする課題】
【０００５】
しかしながら、この特許文献１に記載されている携帯用光照射器は、二次電池と電源基板が握り部内に挿入されており、握り部端部に充電アダプターの端子からの電気を充電するためのソケットが設けられる構造である。そのために、握り部に構成部品が集中して寸法的に大きくなり、熱的な問題も考えなければいけなくなり、携帯用には不都合な携帯用光照射器となっている。
【０００６】
そこで本発明は、携帯用光照射器の握り部と反対端部である先端部に充電用のソケットを設けた構成で、ＬＥＤ基板に並行に設けられた電源基板と配線的に近くなり、組み立て部材、工数が少なくてすむ、利用価値の高い携帯用光照射器を提供することを目的とする。
【課題を解決するための手段】
【０００７】
上記の課題を解決するために、本発明は、利用価値を高くするために、照射部の先端部に充電用ソケットを設けたものである。
すなわち、本発明によれば、二次電池を収納する握り部と、透光性の筒体内に、複数のＬＥＤ素子を搭載するＬＥＤ基板を収納した照射部と、照射部の先端部に設けられた充電用ソケットと、を備えられたことを特徴とする携帯用光照射器が得られる。
【０００８】
また、本発明によれば、二次電池の充電を制御する電源基板が、ＬＥＤ基板と並行に配設されたことを特徴とする携帯用光照射器が得られる。
【０００９】
また、本発明によれば、握り部と、照射部のＬＥＤ基板と、充電用ソケットが、略同一ライン上に配設されたことを特徴とする携帯用光照射器が得られる。
【００１０】
また、本発明によれば、照射部の先端部に、充電用ソケットを覆うキャップ部を着脱可能に設け、キャップ部に吊り下げ用の取っ手を設けたことを特徴とする携帯用光照射器が得られる。
【００１１】
また、本発明によれば、照射部の先端部を挿入し、携帯用光照射器を直立させた状態で充電用ソケットからの充電を可能とした充電台を備えていることを特徴とする携帯用光照射器が得られる。
【発明の効果】
【００１２】
本発明によれば、二次電池を収納する握り部と、透光性の筒体内に、複数のＬＥＤ素子を搭載するＬＥＤ基板を収納した照射部と、照射部の先端部に設けられた充電用ソケットと、を設けて携帯用光照射器が構成される。
それによって、ＬＥＤ基板と並行に設けられた電源基板と配線的に近くなり、組み立て部材、工数が少なくてすむ、利用価値の高い携帯用光照射器を提供することができる。
【図面の簡単な説明】
【００１３】
【図１】本発明の実施形態に係る携帯用光照射器の外観斜視図
【図２】本発明の実施形態に係る携帯用光照射器の正面断面図
【図３】本発明の実施形態に係る携帯用光照射器の上面断面図
【図４】本発明の実施形態に係る携帯用光照射器の先端部拡大斜視図
【図５】本発明の実施形態に係る携帯用光照射器の充電説明図
【図６】本発明の実施形態に係る携帯用光照射器の充電台を用いた充電説明図
【発明を実施するための形態】
【００１４】
以下に本発明の好適な実施の形態について、図面を参照しながら詳細に説明する。なお本実施形態は一例であり、これに限定されるものではない。
【００１５】
図１は、本発明の実施形態に係る携帯用光照射器の外観斜視図、図２は、本発明の実施形態に係る携帯用光照射器の正面断面図、図３は、本発明の実施形態に係る携帯用光照射器の上面断面図、図４は、本発明の実施形態に係る携帯用光照射器の先端部拡大斜視図である。
図１に示すように、携帯用光照射器１００は、照射部１０と握り部３０が一体化されて、片手で握り持ち運び出来る形状である。照射部１０は、複数のＬＥＤ素子１１が搭載されたＬＥＤ基板１２と、ＬＥＤ基板を覆う筒体１４と、筒体の先端を覆う取り外し可能なキャップ部１５からなる。握り部３０には、バッテリ等の二次電池３１が内蔵されて、握り部の外縁部に携帯用光照射器１００のＯＮ／ＯＦＦを行うスイッチ３２が配設されている。
【００１６】
携帯用光照射器１００は、スイッチ３２をＯＮにすると、握り部３０に内蔵されている二次電池３１からＬＥＤ基板１２に搭載されているＬＥＤ素子１１に、電流が流れて、ＬＥＤ素子１１が光を照射する。片手で握り持ち運べる形状なので、暗い建物内、夜に屋外で作業を行う時や夜に指示を行う場合などに使用される。
【００１７】
図２と図３に示すように、照射部１０の基板は、ＬＥＤ素子１１が搭載されたＬＥＤ基板１２と、二次電池３１の充電を制御する電源基板１３の２枚で構成されている。ＬＥＤ基板１２と電源基板１３は、携帯用光照射器１００の長さ方向に略平行に、また、互いの間には空間が設けられるように配設されて、透光性の筒体１４によって保護されている。
ＬＥＤ基板１２と電源基板１３は、互いの基板間に空間が設けられているため、互いの基板の発熱による熱的影響を最小限に抑えることが出来る構造となっている。
【００１８】
ＬＥＤ基板１２は、長方形の平板の中心部が凹形状で、両面に銅箔が貼られたガラスエポキシ基板であり、片面側の凹面部に複数の列形状でＬＥＤ素子、他面に電子部品が実装されている。ＬＥＤ基板１２からは、二次電池３１とスイッチ３２に接続するように配線されている。ＬＥＤ素子搭載面側に、高反射シートを貼合することや、高反射用樹脂を塗布することにより、光取り出し効率の改善が期待できる。ＬＥＤ基板１２の形状により、ＬＥＤ素子１１からの光は、均一で広範囲に放射されることとなる。
光源としては、公知の種々のＬＥＤ素子、有機ＥＬ素子等を用いることができる。本実施形態では、照明用の白色光を発光する高輝度タイプのＬＥＤ素子が用いられている。
電源基板１３は、長方形の平板で、両面に銅箔が貼られたガラスエポキシ基板であり、二次電池３１の充電を制御する回路を構成する電子部品が実装されている。電源基板１３からは、二次電池３１と充電用の直流が入力される充電用ソケット１９（図４、図５）に接続する配線がされている。
これにより、充電用ソケット１９、電源基板１３、二次電池３１と一つのラインとなり、配線的に近くなり、組み立て部材、工数が少なくてすむ構造とすることが出来る。また、電源基板１３の形状によっては、充電用ソケット１９、電源基板１３、と二次電池３１の配線を電源基板を介して直接接続することにより、配線を不要とすることも可能である。
【００１９】
図４に示すように、筒体１４の先端には凹環状の接続部１８が設けられ、接続部１８の中心部には二次電池３１を充電するための充電用アダプター４０の端子を接続する充電用ソケット１９が、電源基板１３に接続されて設置されている。接続部１８の外周部にはネジ溝が形成されており、前記キャッブ部１５が接続部１８を覆うように取り外し可能に螺合されている。
キャップ部１５には、携帯用光照射器１００を吊り下げるための取っ手１６が、キャップ部１５の外周表面に沿って収納可能に取り付けられている。取っ手１６は、半円環形状で先端部の外縁先端にキャップ部１５に収納可能できる可動機能を有するように螺子等で取り付けられている。通常使用時は、取っ手１６をキャップ部１５の収納部１７に収めて、使用できるので携帯用として使用しやすい構造となっている。
接続部１８は、通常使用時にはキャップ部１５によって覆われているため、充電用ソケット１９がゴミ等により汚れることを防いでいる。それにより、携帯用光照射器の屋外等における使用にも耐えることが可能な構造となっている。また、取っ手１６を用いて吊り下げることが可能であるので、例えばランタンのような定位置での照明として、用いることも可能となっている。
【００２０】
握り部３０は、バッテリ等の二次電池３１と、携帯用光照射器のＯＮ／ＯＦＦを行うスイッチ３２が配設された樹脂の筐体で、出来ている。充放電可能な二次電池３１としては、ニッケル水素電池、リチュウム電池等が、用いられる。携帯用光照射器のＯＮ／ＯＦＦを行うスイッチ３２は、押しボタン式、スライド式等が、用いられている。スイッチ３２のＯＮ操作により二次電池３１からＬＥＤ基板１２に電流が流れて、ＬＥＤ素子１１が光を照射する。
また、握り部３０は、スイッチ３２を防塵型の物を選択すれば、樹脂の筐体により覆われている構造となり、ゴミ等により汚れることを防ぐことができて、携帯用光照射器の屋外等における使用にも耐えることが可能である。
さらに、握り部３０の筐体表面に、凹凸を形成することにより握りやすく、滑りにくい構造とすることが可能である。
【００２１】
照射部１０と握り部３０は、一体に結合されて、携帯用光照射器１００となる。照射部１０と握り部３０の接続、照射部１０のキャップ部１５と接続部１８の接続において、Ｏリングなどを用いて接続を行うことにより、防塵防滴対応の携帯用光照射器とすることが可能になる。これにより、雨天時の屋外での使用に耐えることができる。
【００２２】
携帯用光照射器１００の充電について、説明する。図５は、本発明の実施形態に係る携帯用光照射器の充電説明図、図６は、本発明の実施形態に係る携帯用光照射器の充電台を用いた充電説明図である。
図５に示すように、充電は、コンセントに接続された充電用アダプター４０の充電端子４１が、キャップ部１５が取り外された接続部１８の充電ソケット１９と接続されて、充電が開始される。充電ソケットから入力された電流は、電源基板１３で制御されながら二次電池３１へと流れて、充電される。二次電池３１が充電により、満充電状態になったと電源基板１３により判断された場合は、二次電池３１への充電は停止される。
また、充電の状況を外部表示する表示ランプ（図示せず）を、電源基板等に付けたＬＥＤ素子等を用いて、表示させることも可能である。
【００２３】
携帯用光照射器１００の充電について、充電台を用いた場合について説明する。図６に示すように、充電は、コンセントに接続された充電用アダプター４０の充電端子４１を、充電台４２の充電台充電用ソケット４４に接続することにより開始される。充電台４２は、略円柱状形状で、中心に携帯用光照射器の接続部１８を固定する凹部が設けられ、凹部の中心に充電用ソケット１９と接続するための充電端子（図示せず）が上向きに設けられている。充電台４２の充電端子は、充電台４２の外縁部に接続された充電用アダプター４０の充電端子４１と、配線により接続されている。充電の状況は、充電台４２の上部に設けられた表示ランプ４３により確認することができる。
携帯用光照射器１００のキャップ部１５を取り外して、充電台４２に握り部３０を上にして挿入するだけで、充電がすることが可能となり、充電を簡単に行うことが出来る。また、充電台４２に携帯用光照射器１００を差し込んだままで照射させると、卓上用の照明台としても利用できる。
【００２４】
本発明の握り部には、二次電池のみが配設されているので、従来多く用いられている電源基板と一緒に配設されている構造に比較して、電源基板と二次電池の発熱の影響を互いに受けることが少ない構造となっている。また、二次電池のみが配設されているので、携帯する人が握り易い寸法形状とすることが、容易な構造である。
【００２５】
以上のように、本実施形態では、基板に複数のＬＥＤ素子を配置し、握り部内には二次電池を搭載し、握り部と反対端部である先端部と接している接続部に充電用のソケットを設けることにより携帯用光照射器が構成されている。
これらによって、電源基板と配線的に近くなり、組み立て部材、工数が少なくてすむ、利用価値の高い携帯用光照射器を提案している。
【００２６】
以上、この発明の実施の形態を説明したが、この発明は、これらの実施の形態に限られるものではなく、この発明の要旨を逸脱しない範囲の設計変更があっても本発明に含まれる。すなわち、当業者であれば、当然なしえるであろう各種変形、修正もまた本発明に含まれる。
【符号の説明】
【００２７】
１００：携帯用光照射器
１０：照射部
１１：ＬＥＤ素子
１２：ＬＥＤ基板
１３：電源基板
１４：筒体
１５：キャップ部
１６：取っ手
１７：収納部
１８：接続部
１９：充電用ソケット
３０：握り部
３１：二次電池
３２：スイッチ
４０：充電用アダプター
４１：充電端子
４２：充電台
４３：表示ランプ
４４：充電台充電用ソケット
【図１】
2015002006.tif 000003
【図２】
2015002006.tif 000004
【図３】
2015002006.tif 000005
【図４】
2015002006.tif 000006
【図５】
2015002006.tif 000007
【図６】
2015002006.tif 000008